(57)【要約】【課題】動きのある被写体を連続して撮影したいとき、ＡＥ／ＡＦ処理に時間がかかってしまって、シャッターチャンスを逃してしまうのを防ぐ。【解決手段】あらかじめ撮影したいポイントでＡＥ／ＡＦ合わせをして、その情報を複数記憶しておき、撮影するときには記憶した情報をもとにレンズ・露出を制御して、次の撮影をするときには、次に記憶したポイントでのＡＥ／ＡＦ情報を使用する。これにより、動きのある被写体を連続して撮影するときでも、レリーズタイムラグが短くてすむので、シャッターチャンスを逃さずに撮影することができる。【選択図】　　　　図１
2004096353.tif 000002
【特許請求の範囲】
【請求項１】
撮像した静止画像及び或いは動画像を記録媒体に記録及び再生表示する画像処理装置であって、
撮像手段と、記録手段と、制御手段と、表示手段と、オートフォーカス手段とを有し、
前記制御手段は、オートフォーカス記憶動作によって得た被写体距離に応じたレンズ位置を順次複数記憶し、撮影動作を行う際には、あらかじめ記憶された焦点位置にレンズを駆動しておき、レリーズ指示で撮影を行った後は、次に記憶した焦点位置にレンズを駆動しておき、撮影動作を行うことを特徴とする画像処理装置。
【請求項２】
請求項１に記載の画像処理装置において、オートフォーカス記憶動作を行うとき、同時に測光・測色処理を行って記憶し、撮影動作時に記憶された測光・即即情報に基づいて撮影を行うことを特徴とする画像処理装置。
【発明の詳細な説明】
【０００１】
【発明の属する技術分野】
本発明は、静止画像や動画像を撮像、記録、再生する画像処理装置及び画像処理装置制御方法に関する。
【０００２】
【従来の技術】
従来、固体メモリ素子を有するメモリカードを記録媒体として、静止画像や動画像を記録再生する電子カメラ等の画像処理装置は既に市販されており、自動でピントを合わせるオートフォーカス機能を備える電子カメラも販売されている。
【０００３】
これらの電子カメラによれば、使用者はピントを合わせることを意識することなく、撮影行為に専念でき、電子カメラの使用者にとって有益な機能となっている。
【０００４】
【発明が解決しようとする課題】
このような従来の電子カメラ等の画像処理装置においては、撮像センサーを使用したＴＶ−ＡＦ方式を採用しているケースが多く、このオートフォーカス方式は被写体のありそうな距離全域をスキャンして、コントラストが最大になる位置を検出するため、オートフォーカス動作に時間がかかってしまう問題があり、特に動いている物体を撮影するときにはオートフォーカスに時間がかかってしまうと撮影チャンスを逃してしまうことがあった。
【０００５】
【課題を解決するための手段】
本発明に係る画像処理装置に於いては、第１に撮像した静止画像及び或いは動画像を記録媒体に記録及び再生表示する画像処理装置であって、撮像手段と、記録手段と、制御手段と、表示手段と、オートフォーカス手段とを有し、前記制御手段は、オートフォーカス記憶動作によって得た被写体距離に応じたレンズ位置を順次複数記憶し、撮影動作を行う際には、あらかじめ記憶された焦点位置にレンズを駆動しておき、レリーズ指示で撮影を行った後は、次に記憶した焦点位置にレンズを駆動しておき、撮影動作を行うことを特徴とする画像処理装置。
【０００６】
第２に前記画像処理装置において、オートフォーカス記憶動作を行うとき、同時に測光・測色処理を行って記憶し、撮影動作時に記憶された測光・即即情報に基づいて撮影を行うことを特徴とする画像処理装置。
【０００７】
【発明の実施の形態】
（第１の実施例）
以下、図面を参照して本発明の実施例を説明する。
【０００８】
図１は、本発明の実施例の構成を示す図である。
【０００９】
図１において、１００は画像処理装置である。
【００１０】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。
【００１３】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ　ＬＣＤ等から成る画像表示部であり、画像表示メモリ２４に書き込まれた表示用の画像データはＤ／Ａ変換器２６を介して画像表示部２８により表示される。
【００１８】
画像表示部２８を用いて撮像した画像データを逐次表示すれば、電子ファインダー機能を実現することが可能である。
【００１９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。
【００２１】
これにより、複数枚の静止画像を連続して撮影する連射撮影やパノラマ撮影の場合にも、高速かつ大量の画像書き込みをメモリ３０に対して行うことが可能となる。
【００２２】
また、メモリ３０はシステム制御回路５０の作業領域としても使用することが可能である。
【００２３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２４】
４０は絞り機能を備えるシャッター１２を制御する露光制御手段であり、フラッシュ４８と連携することによりフラッシュ調光機能も有するものである。
【００２５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２６】
４８はフラッシュであり、ＡＦ補助光の投光機能、フラッシュ調光機能も有する。
【００２７】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２８】
５０は画像処理装置１００全体を制御するシステム制御回路、５２はシステム制御回路５０の動作用の定数、変数、プログラム等を記憶するメモリである。
【００２９】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３０】
また、表示部５４は、その一部の機能が光学ファインダー１０４内に設置されている。
【００３１】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３２】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３３】
５６は電気的に消去・記録可能な不揮発性メモリであり、例えばＥＥＰＲＯＭ等が用いられる。
【００３４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３５】
ここで、これらの操作手段の具体的な説明を行う。
【００３６】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３８】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３９】
６６はオートフォーカス（ＡＦ）記憶指示スイッチで、オートフォーカスを合わせた状態でスイッチが押されると、そのときのレンズ位置を記憶する。
【００４０】
６８はＡＦ記憶撮影モード設定スイッチで、ＡＦ記憶撮影モードに入ると自動的に記憶したピンと位置にレンズを駆動し、１枚撮影を行うと次に記憶したピント位置にレンズを自動的に駆動する。
【００４１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４２】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４４】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４５】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４６】
インターフェース及びコネクタとしては、ＰＣＭＣＩＡカードやＣＦ（コンパクトフラッシュ（Ｒ））カード等の規格に準拠したものを用いて構成して構わない。
【００４７】
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４８】
１０２は、画像処理装置１００のレンズ１０を含む撮像部を覆う事により、撮像部の汚れや破損を防止するバリアである保護手段である。
【００４９】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５１】
１１２は通信手段１１０により画像処理装置１００を他の機器と接続するコネクタ或いは無線通信の場合はアンテナである。
【００５２】
２００はメモリカードやハードディスク等の記録媒体である。
【００５３】
記録媒体２００は、半導体メモリや磁気ディスク等から構成される記録部２０２、画像処理装置１００とのインタフェース２０４、画像処理装置１００と接続を行うコネクタ２０６を備えている。
【００５４】
２１０はメモリカードやハードディスク等の記録媒体である。
【００５５】
記録媒体２１０は、半導体メモリや磁気ディスク等から構成される記録部２１２、画像処理装置１００とのインタフェース２１４、画像処理装置１００と接続を行うコネクタ２１６を備えている。
【００５６】
図２乃至図６を参照して、第１の実施例の動作を説明する。
【００５７】
図２及び図３は本実施例の画像処理装置１００の主ルーチンのフローチャートを示す。
【００５８】
図２及び図３を用いて、画像処理装置１００の動作を説明する。
【００５９】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００６０】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００６１】
モードダイアル６０が撮影モードに設定されていたならば（Ｓ１０３）、Ｓ１０６に進む。
【００６２】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００６３】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００６４】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６５】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【００６６】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００６７】
シャッタースイッチＳＷ１が押されていないならば（Ｓ１１５）、Ｓ１０３に戻る。
【００６８】
シャッタースイッチＳＷ１が押されたならば（Ｓ１１５）、システム制御回路５０は、ＡＦ記憶撮影モード設定スイッチの状態を調べ（Ｓ１１６）、ＡＦ記憶撮影モードＯＦＦ設定されていたならば、測距処理を行って撮影レンズ１０の焦点を被写体に合わせ、測光処理を行って絞り値及びシャッター時間を決定し、必要であればフラッシュの設定も行い、測色処理を行ってホワイトバランスを決定する（Ｓ１１７）。
【００６９】
ＡＦ記憶撮影モードＯＮ設定されていたならば、測距・測光・測色情報は、システム制御回路５０の内部メモリ或いはメモリ５２に記憶されている情報を使用して設定する（Ｓ１２０）。そのため本発明によれば、測距・測光・測色処理にほとんど時間をかけずにすみ、すぐに撮影を行うことができる。
【００７０】
この測距・測光・測色処理Ｓ１１７の詳細は図４を用いて後述する。
【００７１】
測距・測光・測色処理Ｓ１１７を終えたならばＳ１１８に進み、システム制御回路５０はＡＦ記憶スイッチの状態を調べ、ＡＦ記憶スイッチがＯＮに設定されていたならば、システム制御回路５０は測距・測光・測色処理Ｓ１１７で設定された状態を、システム制御回路５０の内部メモリ或いはメモリ５２に記憶し（Ｓ１１９）、Ｓ１０３に戻る。ＡＦ記憶スイッチがＯＦＦに設定されていたならば、Ｓ１２５に進む。
【００７２】
シャッタースイッチＳＷ２が押されずに（Ｓ１２５）、さらにシャッタースイッチＳＷ１も解除されたならば（Ｓ１２６）、Ｓ１０３に戻る。
【００７３】
シャッタースイッチＳＷ２が押されたならば（Ｓ１２５）、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【００７４】
この撮影処理Ｓ１２９の詳細は図５を用いて後述する。
【００７５】
撮影処理Ｓ１２９を終えたならば、システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【００７６】
この記録処理Ｓ１３４の詳細は図６を用いて後述する。
【００７７】
記録処理Ｓ１３４が終了した際に、シャッタースイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【００７８】
連写フラグが設定されていないならば（Ｓ１３６）、シャッタースイッチＳＷ２が放されるまで（Ｓ１３５）、現在の処理を繰り返す。
【００７９】
シャッタースイッチＳＷ２が放されて、シャッタースイッチＳＷ１が押された状態であったならば（Ｓ１４１）、システム制御回路５０は、Ｓ１２５に戻って次の撮影に備える。
【００８０】
シャッタースイッチＳＷ１が放された状態であったならば（Ｓ１４１）、システム制御回路５０は、一連の撮影動作を終えてＳ１０３に戻る。
【００８１】
このように本発明によれば、ＡＦ記憶スイッチをＯＮにすることで、あらかじめ撮影したい被写体に合わせた測距・測光・測色処理を行った結果を複数記憶しておき、ＡＦ記憶撮影モードをＯＮ設定して実際に撮影を行うときには、事前に行った測距・測光・測色情報を使用して撮影を行うため、測距・測光・測色処理にかかる時間をかけずに済み、距離や明るさの異なるシーンでシャッターチャンスを逃すことなく連続して撮影することが可能になる。
【００８２】
図４は、図３のＳ１１７における測距・測光・測色処理の詳細なフローチャートを示す。
【００８３】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００８４】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００８５】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【００８６】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００８７】
露出（ＡＥ）が適正と判断したならば（Ｓ２０２）、測定データ及び或いは設定パラメータをシステム制御回路５０の内部メモリ或いはメモリ５２に記憶する。
【００８８】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【００８９】
ホワイトバランス（ＡＷＢ）が適正と判断したならば（Ｓ２０６）、測定データ及び或いは設定パラメータをシステム制御回路５０の内部メモリ或いはメモリ５２に記憶する。
【００９０】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【００９１】
測距（ＡＦ）が合焦と判断したならば（Ｓ２０８）、測定データ及び或いは設定パラメータをシステム制御回路５０の内部メモリ或いはメモリ５２に記憶し、測距・測光・測色処理ルーチンＳ１１７を終了する。
【００９２】
図５は、図３のＳ１２９における撮影処理の詳細なフローチャートを示す。
【００９３】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【００９４】
フラッシュ・フラグによりフラッシュ４８が必要か否かを判断し（Ｓ３０３）、必要な場合はフラッシュを発光させる（Ｓ３０４）。
【００９５】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【００９６】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【００９７】
システム制御回路５０は、メモリ３０から画像データを読み出し、メモリ制御回路２２を介して画像表示メモリ２４に表示画像データの転送を行う（Ｓ３１１）。
【００９８】
一連の処理を終えたならば、撮影処理ルーチンＳ１２９を終了する。
【００９９】
図６は、図３のＳ１３４における記録処理の詳細なフローチャートを示す。
【０１００】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１０１】
そして、メモリ３０に書き込まれた画像データを読み出して、設定したモードに応じた画像圧縮処理を圧縮・伸長回路３２により行った後（Ｓ４０２）、インタフェース９０或いは９４、コネクタ９２或いは９６を介して、メモリカードやコンパクトフラッシュ（Ｒ）カード等の記録媒体２００或いは２１０へ圧縮した画像データの書き込みを行う（Ｓ４０３）。
【０１０２】
記録媒体への書き込みが終わったならば、記録処理ルーチンＳ１３４を終了する。
【０１０３】
以上、図１を用いて本発明の実施例の説明を行った。
【０１０４】
なお、実施例の説明に於いては、測距情報は実際に測距処理を行った結果を使用するようにしたが、使用者が距離を直接指定するようにしてもよい。
【０１０５】
また、実施例の説明に於いては、記憶しておく情報を測距・測光・測色の３つとしてあるが、１つないし２つでもよく、使用者がその組み合わせを選択できるようにしても、もちろん問題ない。
【０１０６】
【発明の効果】
以上の説明から容易に理解できるように、本発明によれば、第１に撮像した静止画像及び或いは動画像を記録媒体に記録及び再生表示する画像処理装置であって、撮像手段と、記録手段と、制御手段と、表示手段と、オートフォーカス手段とを有し、前記制御手段は、オートフォーカス記憶動作によって得た被写体距離に応じたレンズ位置を順次複数記憶し、撮影動作を行う際には、あらかじめ記憶された焦点位置にレンズを駆動しておき、レリーズ指示で撮影を行った後は、次に記憶した焦点位置にレンズを駆動しておき、撮影動作を行うことを特徴とする画像処理装置を提供することが可能となる。
【０１０７】
第２に前記画像処理装置において、オートフォーカス記憶動作を行うとき、同時に測光・測色処理を行って記憶し、撮影動作時に記憶された測光・即即情報に基づいて撮影を行うことを特徴とする画像処理装置を提供することが可能となる。
【０１０８】
上記手段により、ＡＦ記憶スイッチをＯＮにすることで、あらかじめ撮影したい被写体に合わせた測距・測光・測色処理を行った結果を複数記憶しておき、ＡＦ記憶撮影モードをＯＮ設定して実際に撮影を行うときには、事前に行った測距・測光・測色情報を使用して撮影を行うことで、測距・測光・測色処理にかかる時間をかけずに済み、距離や明るさの異なるシーンでシャッターチャンスを逃すことなく連続して撮影することが可能な画像処理装置を提供することが可能となる。
【図面の簡単な説明】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光・測色ルーチンのフローチャートである。
【図５】本実施例の撮影ルーチンのフローチャートである。
【図６】本実施例の記録ルーチンのフローチャートである
【符号の説明】
１０　撮影レンズ
１２　シャッター
１４　撮像素子
１６　Ａ／Ｄ変換器
１８　タイミング発生回路
２０　画像処理回路
２２　メモリ制御回路
２４　画像表示メモリ
２６　Ｄ／Ａ変換器
２８　画像表示部
３０　メモリ
３２　画像圧縮・伸長回路
４０　露光制御手段
４２　測距制御手段
４４　ズーム制御手段
４６　バリア制御手段
４８　フラッシュ
５０　システム制御回路
５２　メモリ
５４　表示部
５６　不揮発性メモリ
６０　モードダイアルスイッチ
６２　シャッタースイッチＳＷ１
６４　シャッタースイッチＳＷ２
６６　画像表示ＯＮ／ＯＦＦスイッチ
６８　クイックレビューＯＮ／ＯＦＦスイッチ
７０　操作部
８０　電源制御手段
８２　コネクタ
８４　コネクタ
８６　電源手段
９０　インタフェース
９２　コネクタ
９４　インタフェース
９６　コネクタ
９８　記録媒体着脱検知手段
１００　画像処理装置
１０２　保護手段
１０４　光学ファインダ
１１０　通信手段
１１２　コネクタ（またはアンテナ）
２００　記録媒体
２０２　記録部
２０４　インタフェース
２０６　コネクタ
２１０　記録媒体
２１２　記録部
２１４　インタフェース
２１６　コネクタ
【図１】
2004096353.tif 000003
【図２】
2004096353.tif 000004
【図３】
2004096353.tif 000005
【図４】
2004096353.tif 000006
【図５】
2004096353.tif 000007
【図６】
2004096353.tif 000008